(57)【要約】【課題】コストアップを抑えつつ簡単な構造により防水性を具備させた小型の電子機器のケースを提供する。【解決手段】ケース７は、前面側に開口部を有する上下方向に長い矩形箱状のボディ１と、ボディ１の開口部を閉塞するようにしてボディ１に組み付けられるカバー２とを備える。カバー２の後面側にはボディ１側に向かって突出するリブ２ｈが、ボディ１の開口端縁の内周面に全周に亘って当接するように矩形枠状に形成されている。また、リブ２ｈにおいてボディ１の開口端縁の内周面に対向する部位には溝部２ｊが設けられており、ボディ１とカバー２の継ぎ目部分から水が侵入した場合でも溝部２ｊ内に溜めることができるため、ボディ１内部への水の侵入を抑えることができて防水性が確保される。【選択図】図１
2011233706.tif 000002
【特許請求の範囲】
【請求項１】
前面側に開口部を有する箱状のボディと、
前記開口部を閉塞するようにして前記ボディに組み付けられるカバーとを備え、
前記ボディ又は前記カバーの何れか一方には、他方側に向かって突出し、組付状態において前記他方の内周面に全周に亘って当接するリブが設けられており、
少なくとも施工状態における上側の前記リブにおいて前記他方の内周面と対向する部位に溝部が設けられていることを特徴とする電子機器のケース。
【請求項２】
前記溝部が前記リブの全周に亘って設けられていることを特徴とする請求項１記載の電子機器のケース。
【発明の詳細な説明】
【技術分野】
【０００１】
本発明は、電子機器のケースに関するものである。
【背景技術】
【０００２】
従来より、屋内に設置されたり、防水構造を備えた屋外ボックスに収納されて屋外に設置される電子機器（例えば電子式電力量計など）が提供されている。
【０００３】
図４は従来の電子機器の一例であり、前面側が開口する矩形箱状のボディ１、及び、開口を閉塞するようにしてボディ１に組み付けられるカバー２で構成されるケース７を備える。ケース７の内部には、複数のプリント基板４，５により構成される電子回路８が収納されており、ケース７の前面側には厚みの薄い矩形箱状の蓋体３が組み付けられている。そして、一体に組み付けられた電子機器は、そのままの形で屋内に設置されるか、または上記の屋外ボックスに収納されて屋外に設置されることになる。
【０００４】
したがって、ケース７については防水構造にする必要性が低いことから、ボディ１とカバー２の継ぎ目部分を突合せ構造としたり（図４（ｅ）参照）、板厚方向において分割構造（図４（ｆ）参照）とするのが一般的であった。また、ボディ１とカバー２の継ぎ目部分の構造を板厚内で嵌合可能な鍵型構造とする場合もあった。
【０００５】
しかしながら、例えば雨漏りや屋外ボックスの防水構造が不十分であることからケース７に水が掛かった場合には、上記の継ぎ目部分からケース７内部に水が侵入し、電子回路８が故障する虞があった。
【０００６】
そこで、上記の問題を解決するために、ボディ１とカバー２の継ぎ目部分にパッキンを施すことが考えられるが、この場合、パッキンによってケース７内部への水の侵入は防止できるものの、コストアップになるものであった。
【０００７】
また、前面側が開口する矩形箱状のケース本体と、後面側が開口し、ケース本体に上側から装着されるカバーとで構成された電子機器ケースも提案されている（例えば特許文献１参照）。この電子機器ケースでは、ケース本体の上面及び左右両側面に凸部が連続して設けられており、一方、カバーの内側面には上記の凸部と嵌合する凹部が連続して設けられている。そして、ケース本体に上側からカバーを装着させることで凸部と凹部とが互いに嵌合し、この嵌合構造によってケース本体内外が遮断される。つまり、上記の嵌合構造によって防水性が確保されるのである。
【先行技術文献】
【特許文献】
【０００８】
【特許文献１】実開平５−４７４８８号公報（第２頁右欄第４行目−第３頁右欄第１５行目、及び、第１図−第６図）
【発明の概要】
【発明が解決しようとする課題】
【０００９】
上述の特許文献１に示した電子機器ケースでは、凸部と凹部による嵌合構造によって防水性は確保できるものの、ケース本体とカバーとの間に後面側から侵入してきた雨水を排水するためのスペースが必要であることからカバーが大型化し、その結果、電子機器ケースの大型化を招いていた。
【００１０】
本発明は上記問題点に鑑みて為されたものであり、その目的とするところは、コストアップを抑えつつ簡単な構造により防水性を具備させた小型の電子機器のケースを提供することにある。
【課題を解決するための手段】
【００１１】
本発明の電子機器のケースは、前面側に開口部を有する箱状のボディと、開口部を閉塞するようにしてボディに組み付けられるカバーとを備え、ボディ又はカバーの何れか一方には、他方側に向かって突出し、組付状態において他方の内周面に全周に亘って当接するリブが設けられており、少なくとも施工状態における上側のリブにおいて他方の内周面と対向する部位に溝部が設けられていることを特徴とする。
【００１２】
この電子機器のケースにおいて、溝部がリブの全周に亘って設けられているのが好ましい。
【発明の効果】
【００１３】
コストアップを抑えつつ簡単な構造により防水性を具備させた小型の電子機器のケースを提供することができるという効果がある。
【図面の簡単な説明】
【００１４】
【図１】実施形態を示し、（ａ）は正面図、（ｂ）は上面図、（ｃ）は右側面図、（ｄ）は蓋体を取り外した状態の正面図、（ｅ）は主要部の断面図である。
【図２】斜め前方から見た同上の分解斜視図である。
【図３】斜め後方から見た同上の分解斜視図である。
【図４】従来例を示し、（ａ）は正面図、（ｂ）は上面図、（ｃ）は右側面図、（ｄ）は蓋体を取り外した状態の正面図、（ｅ）及び（ｆ）は主要部の断面図である。
【発明を実施するための形態】
【００１５】
本発明に係る電子機器のケースの実施形態を図１〜図３に基づいて説明する。本電子機器のケースは、例えば電子式電力量計などの電子機器を収納するためのケースであって、屋内に設置される場合にはそのままの形で設置され、屋外に設置される場合には防水性能を備えた屋外ボックスなどに収納されて設置される。なお、以下の説明では特に断りがない限り、図２中の矢印ａ−ｂ方向を前後方向、矢印ｃ−ｄ方向を左右方向、矢印ｅ−ｆ方向を上下方向として説明を行う。
【００１６】
図２及び図３は本実施形態の電子機器の分解斜視図であり、本電子機器は、ボディ１及びカバー２の２部品で構成される合成樹脂製のケース７と、ケース７の内部に収納される電子回路８と、ケース７の前面側に組み付けられる合成樹脂製の蓋体３とを備える。
【００１７】
ボディ１は、前面側（カバー２側）に開口部１ａを有する上下方向に長い矩形箱状に形成され、開口部１ａの開口端縁の四隅には、後述する蓋体３の四隅に設けた各嵌合突起３ａがそれぞれ嵌合する嵌合部１ｂが設けられている。また、ボディ１の両側壁及び底壁には、後述するカバー２に設けた各嵌合突起２ｋがそれぞれ嵌合する嵌合孔１ｃが設けられている。さらに、ボディ１の後面側には、断面視の形状がハット形に形成されたレール（所謂ＤＩＮレール）に取り付ける際に用いられる取付具１ｄ，１ｅが設けられており、これらの取付具１ｄ，１ｅの間でＤＩＮレールを挟持することでケース７がＤＩＮレールに取り付けられる。なお、取付具１ｄ，１ｅの構造は従来周知の構造であるから、ここでは詳細な説明は省略する。
【００１８】
カバー２は、上下寸法及び左右寸法がボディ１の開口部１ａと略同寸法に設定された板状に形成され、カバー２の後面側（ボディ１側）には、ボディ１の各嵌合孔１ｃにそれぞれ嵌合する複数（本実施形態では５個）の嵌合突起２ｋが後方に向かって突設されている。カバー２の上部には、後述するプリント基板４に実装された端子台４１が挿通される挿通孔２ａと、同じくプリント基板４に実装された複数（本実施形態では２個）のＬＥＤ４４が挿通される複数の挿通孔２ｆとが左右方向に並べて設けられている。また、カバー２において挿通孔２ａ，２ｆの下方には、プリント基板４に実装された別の端子台４２が挿通される挿通孔２ｂが設けられ、さらにカバー２において挿通孔２ｂの下方には、プリント基板４に実装されたさらに別の端子台４３が挿通される挿通孔２ｃが設けられている。
【００１９】
また、カバー２において挿通孔２ｃの下方には、プリント基板４に実装されたディップスイッチ４５が挿通される挿通孔２ｄと、同じくプリント基板４に実装されたコネクタ４６が挿通される挿通孔２ｅとが左右方向に並べて設けられている。さらに、カバー２の後面側には、ボディ１に組み付けた状態において当該ボディ１の開口端縁の内周面に全周に亘って当接する矩形枠状のリブ２ｈ（図３参照）が後方（ボディ１側）に向かって突設されている。また、カバー２の四隅には、後述する蓋体３をボディ１に組み付ける際に蓋体３の各嵌合突起３ａを逃がすための切欠部２ｇがそれぞれ設けられている。そして、カバー２の各嵌合突起２ｋをボディ１の対応する嵌合孔１ｃにそれぞれ嵌合させることで、カバー２がボディ１に組み付けられる。ここに、上記のリブ２ｈは、ボディ１に対するカバー２の位置決め用リブである。
【００２０】
蓋体３は、後面側（ボディ１側）が開口する上下方向に長い矩形箱状に形成され、蓋体３の四隅には後面側に突出する嵌合突起３ａがそれぞれ設けられている。そして、蓋体３の各嵌合突起３ａをボディ１の対応する嵌合部１ｂにそれぞれ嵌合させることで、蓋体３がボディ１に組み付けられる。なお、蓋体３は、透明な樹脂で形成して内部が見えるようにしてもいいし、不透明な樹脂で形成してもよい。
【００２１】
電子回路８は、複数（本実施形態では３枚）のプリント基板４〜６からなり、プリント基板５，６は、その厚み方向が左右方向となるように配置されてボディ１の内部に収納される。また、プリント基板４は、その厚み方向が前後方向となるように配置されてボディ１の内部に収納される。
【００２２】
プリント基板４の前面側（カバー２側）には、複数（本実施形態では３個）の端子台４１〜４３と、複数（本実施形態では２個）のＬＥＤ４４と、ディップスイッチ４５と、コネクタ４６とが実装されている。ディップスイッチ４５は、例えば電子回路８の各種設定をするために用いられ、またコネクタ４６は、例えば外部機器（図示せず）との間を接続するために用いられる。
【００２３】
ここで、本実施形態のケース７では、図１（ｅ）に示すように、上述したリブ２ｈにおいてボディ１の内周面と対向する部位に溝部２ｊが設けられており、特に本実施形態では、この溝部２ｊをリブ２ｈの全周に亘って設けている。したがって、例えばボディ１とカバー２の継ぎ目部分から水が侵入した場合でも、この水を上記の溝部２ｊ内に溜めることができるため、ボディ１内部への水の侵入を抑えて防水性を確保することができる。特に、本実施形態のようにリブ２ｈの全周に亘って溝部２ｊを設けた場合には、上記の継ぎ目部分から侵入する水の量が増えた場合でも、溝部２ｊに沿って水を側方から下方に流すことができ、その結果、防水性の向上が図れるという利点がある。しかも、溝部２ｊという簡単な構造で防水性を確保できることから、従来例のようにパッキンを施す場合に比べてコストアップを抑えることができる。
【００２４】
また、本実施形態のようにボディ１とカバー２を突き合わせる構造とし、ボディ１に対してカバー２を位置決めするリブ２ｈに防水性を確保するための溝部２ｊを設けているので、上述した特許文献１の電子機器ケースに比べてケースの大型化を抑えることができ、その結果、小型の電子機器のケースを提供することができる。さらに、リブ２ｈの全周に亘って溝部２ｊを設けることによって、ボディ１及びカバー２の施工方向に関わらず防水性を確保することができる。また、ボディ１とカバー２の継ぎ目部分の近傍に溝部２ｊを設けているため、防水効果の高い電子機器のケースを提供することができる。
【００２５】
次に、本実施形態の電子機器の組立手順について説明する。まず最初に、厚み方向が左右方向となるように配置した状態でプリント基板５，６をボディ１内に収納するとともに、厚み方向が前後方向となるように配置した状態でプリント基板４をボディ１内に収納する。その後、カバー２の各嵌合突起２ｋをボディ１の対応する嵌合孔１ｃにそれぞれ嵌合させてカバー２をボディ１に組み付ける（図１（ｄ）に示す状態）。そして最後に、蓋体３の各嵌合突起３ａをボディ１の対応する嵌合部１ｂにそれぞれ嵌合させて蓋体３をボディ１に組み付けると、電子機器の組み立てが完了する（図１（ａ）〜図１（ｃ）に示す状態）。
【００２６】
ここにおいて、本実施形態では、溝部２ｊをリブ２ｈの全周に亘って設けているが、少なくとも施工状態における上側のリブ２ｈに溝部２ｊが設けてあればよい。この場合、本実施形態と同様に、ボディ１とカバー２の継ぎ目部分から侵入した水を溝部２ｊに溜めることができるため、ボディ１内部への水の侵入を抑えて防水性を確保することができる。
【００２７】
また、本実施形態では、リブ２ｈをカバー２側に設けているが、ボディ１側にリブを設けてもよく、この場合にもリブに溝部を設けることで同様にコストアップを抑えつつ防水性を確保することができる。さらに、本実施形態では、ケース７内に収納される電子機器が電子式電力量計である場合について説明したが、電子機器は電子式電力量計に限定されるものではなく、他のものでもよい。
【００２８】
また、本実施形態では、カバー２の嵌合突起２ｋが嵌合する嵌合孔１ｃがボディ１に設けられているため、嵌合孔１ｃからボディ１内部に水が侵入する可能性がある。したがって、カバー２の嵌合突起２ｋが嵌合する嵌合部をボディ１の両側壁及び底壁を貫通しないように設けることで上記の可能性をなくすことができ、さらに防水性を向上させることができる。
【符号の説明】
【００２９】
１  ボディ
１ａ  開口部
２  カバー
２ｈ  リブ
２ｊ  溝部
７  ケース
【図１】
2011233706.tif 000003
【図２】
2011233706.tif 000004
【図３】
2011233706.tif 000005
【図４】
2011233706.tif 000006